(57)【要約】【課題】  シール材を充填されるアウタハウジング内の空間における電線密度の均等性を向上させ、シール材の優れた充填性及び充填作業性を確保する。【解決手段】  防水コネクタ１０は、アウタハウジング２０内におけるインナハウジング３０及び防水栓４０間に、シール材５０を充填されてなる。アウタハウジング２０は、コネクタ開口部２１の中心位置α１と防水栓収納部２２の中心位置α２とが所定量オフセットするように形成されており、シール材５０を充填されるアウタハウジング２０内のシール材充填空間２３における電線３の密度が、略均等とされる。【選択図】        図２
2006228683.tif 000002
【特許請求の範囲】
【請求項１】
アウタハウジング内におけるインナハウジング及び防水栓間に、シール材を充填されてなる防水コネクタであって、
一端部にコネクタ開口部を設けられるとともに、他端部に防水栓収納部を設けられたアウタハウジングと、
該アウタハウジングのコネクタ開口部に設けられ、サイズの異なる複数種の端子を、サイズ毎にエリア分けしてそれぞれ装着されるインナハウジングと、
前記アウタハウジングの防水栓収納部に嵌合され、インナハウジングに装着された各端子からアウタハウジング内を他端部側に向けて延びる電線を、アウタハウジングの外方に挿通させる防水栓と、
前記アウタハウジング内におけるインナハウジング及び防水栓間の電線の通る空間内に充填されるシール材とを備え、
前記アウタハウジングは、コネクタ開口部の中心位置と防水栓収納部の中心位置とが所定量オフセットするように形成されており、シール材を充填されるアウタハウジング内の空間における電線の密度が略均等とされることを特徴とする防水コネクタ。
【請求項２】
前記インナハウジングにおける大サイズの端子を装着されるエリアには、アウタハウジングのコネクタ開口部とシール材を充填される空間とを連通させる連通孔が設けられており、該連通孔は、前記空間にシール材が充填される際、シール材を充填させる充填ノズルを、アウタハウジングのコネクタ開口部側から空間側に挿通させることを特徴とする請求項１記載の防水コネクタ。
【請求項３】
前記アウタハウジング内におけるシール材を充填される空間に面する所定位置にテーパ状に形成され、前記空間にシール材が充填される際、インナハウジングの連通孔から前記空間内に挿通された充填ノズルからのシール材を受ける充填ガイド面と、
前記アウタハウジング内における前記空間の全周に渡って設けられ、前記空間にシール材が充填される際、充填ノズルから充填ガイド面を介してシール材を流し込まれるガイド溝と、
該ガイド溝に周方向に沿って所定の間隔をあけて複数設けられ、充填ノズルから充填ガイド面を介してガイド溝に流し込まれたシール材を、ガイド溝から前記空間内における防水栓側に流出させる切り欠き部とを備えたことを特徴とする請求項２記載の防水コネクタ。
【発明の詳細な説明】
【技術分野】
【０００１】
本発明は、使用回路数の増加に伴う多極化と、異種サイズ端子（パワー系、信号系）使用に対応する防水コネクタに関し、詳しくはコネクタハウジング内に充填されるシール材の充填性を向上させるための構造に関する。
【背景技術】
【０００２】
従来から様々な防水コネクタは知られている（例えば、特許文献１参照）。
【０００３】
図６は、特許文献１で開示されている防水コネクタを示す平面図であり、図７は、図６の防水コネクタのＣ―Ｃ断面図である。
【０００４】
図６及び図７に示されるように、防水コネクタ１００は、アウタハウジング１１０内におけるインナハウジング１２０及び防水栓１３０間に、シール材（図示しない）が充填されている。
【０００５】
アウタハウジング１１０は、一端部（図７中、上部）にコネクタ開口部１１１を設けられるとともに、他端部（図７中、下部）に防水栓収納部１１２を設けられる。また、インナハウジング１２０は、アウタハウジング１１０のコネクタ開口部１１１に設けられており、サイズの異なる複数種の端子１５０，１５１を、サイズ毎にエリア分けしてそれぞれ装着される。すなわち、信号系の小型の端子１５０が、インナハウジング１２０における中心位置から図７中の左側エリアに装着されるとともに、パワー系の大型の端子１５１が、インナハウジング１２０における中心位置より図７中の右側エリアに装着される。
【０００６】
防水栓１３０は、アウタハウジング１１０の防水栓収納部１１２に嵌合され、インナハウジング１２０に装着された各端子１５０，１５１からアウタハウジング１１０内を防水栓収納部１１２側に向けて延びる電線１５２を、アウタハウジング１１０の外方に挿通させる。また、シール材は、アウタハウジング１１０内におけるインナハウジング１２０及び防水栓１３０間の電線１５２の通る空間内に、充填ノズル（図示しない）により充填される。
【特許文献１】特開平１１―２３３２２５号公報
【発明の開示】
【発明が解決しようとする課題】
【０００７】
上述した従来の防水コネクタ１００では、アウタハウジング１１０内のシール材を充填される空間１１３（以下、シール材充填空間１１３という）に、多数の電線１５２が通る。シール材充填空間１１３において、特にアウタハウジング１１０の中心位置から図７中の左側の信号系小型端子１５０から延びる電線１５２が通る空間では、アウタハウジング１１０の中心位置より図７中の右側のパワー系大型端子１５１から延びる電線１５２が通る空間に比べて、より多くの電線１５２が通る。
このため、信号系小型端子１５０から延びる電線１５２が通る空間では、シール材の良好な充填性が得られないという問題があった。
【０００８】
また、シール材充填空間１１３へのシール材の充填は、空間的に余裕のあるパワー系大型端子１５１から延びる電線１５２が通る空間に、充填ノズルを挿通させて行われる。
このため、信号系小型端子１５０から延びる電線１５２が通る空間へのシール材の充填は、パワー系大型端子１５１から延びる電線１５２が通る空間にシール材が充填された後に行われることとなる。したがって、シール材の充填性が更に悪化し、未充填箇所及び気泡残り等が発生するという問題があった。
【０００９】
本発明は、上記事情に鑑みてなされたものであり、シール材が充填されるアウタハウジング内の空間における電線密度の偏りを防止することができ、これによりシール材を空間内の電線間に均一に充填させることができ、空間へのシール材の充填性を向上させることができる防水コネクタを提供することを目的とする。
【課題を解決するための手段】
【００１０】
１）本発明の防水コネクタは、アウタハウジング内におけるインナハウジング及び防水栓間に、シール材を充填されてなる防水コネクタであって、
一端部にコネクタ開口部を設けられるとともに、他端部に防水栓収納部を設けられたアウタハウジングと、該アウタハウジングのコネクタ開口部に設けられ、サイズの異なる複数種の端子を、サイズ毎にエリア分けしてそれぞれ装着されるインナハウジングと、前記アウタハウジングの防水栓収納部に嵌合され、インナハウジングに装着された各端子からアウタハウジング内を他端部側に向けて延びる電線を、アウタハウジングの外方に挿通させる防水栓と、前記アウタハウジング内におけるインナハウジング及び防水栓間の電線の通る空間内に充填されるシール材とを備え、前記アウタハウジングは、コネクタ開口部の中心位置と防水栓収納部の中心位置とが所定量オフセットするように形成されており、シール材を充填されるアウタハウジング内の空間における電線の密度が略均等とされることを特徴とする。
【００１１】
この防水コネクタでは、アウタハウジングは、コネクタ開口部の中心位置と防水栓収納部の中心位置とが所定量オフセットするように形成されることにより、シール材を充填されるアウタハウジング内の空間における電線密度の均等性が確保され、当該空間へのシール材の充填性及び充填作業性が優れた防水コネクタが得られる。
【００１２】
２）本発明の防水コネクタは、前記１）記載の防水コネクタであって、インナハウジングにおける大サイズの端子を装着されるエリアには、アウタハウジングのコネクタ開口部とシール材を充填される空間とを連通させる連通孔が設けられており、該連通孔は、前記空間にシール材が充填される際、シール材を充填させる充填ノズルを、アウタハウジングのコネクタ開口部側から空間側に挿通させることを特徴とする。
【００１３】
この防水コネクタでは、インナハウジングにおける大サイズの端子を装着されるエリアに設けられた連通孔が、シール材を充填させる充填ノズルを、アウタハウジングのコネクタ開口部側から空間側に挿通させることにより、空間へのシール材のより高い充填性及び充填作業性が確保された防水コネクタが得られる。
【００１４】
３）本発明の防水コネクタは、前記２）記載の防水コネクタにおいて、アウタハウジング内におけるシール材を充填される空間に面する所定位置にテーパ状に形成され、前記空間にシール材が充填される際、インナハウジングの連通孔から前記空間内に挿通された充填ノズルからのシール材を受ける充填ガイド面と、アウタハウジング内における前記空間の全周に渡って設けられ、前記空間にシール材が充填される際、充填ノズルから充填ガイド面を介してシール材を流し込まれるガイド溝と、ガイド溝に周方向に沿って所定の間隔をあけて複数設けられ、充填ノズルから充填ガイド面を介してガイド溝に流し込まれたシール材を、ガイド溝から前記空間内における防水栓側に流出させる切り欠き部とを備えたことを特徴とする。
【００１５】
この防水コネクタでは、アウタハウジング内におけるシール材を充填される空間に、充填ガイド面、ガイド溝及び切り欠き部を備えたことにより、充填ノズルから前記空間へのシール材の円滑かつ確実な充填性と、充填の均一性とが確保された防水コネクタが得られる。
【発明の効果】
【００１６】
本発明の防水コネクタによれば、シール材を充填されるアウタハウジング内の空間における電線密度の均等性を向上させることができ、これにより当該空間へのシール材の優れた充填性及び充填作業性を確保することができる。
【発明を実施するための最良の形態】
【００１７】
以下、図示実施形態により、本発明を説明する。    
図１は、本発明の第１実施形態である防水コネクタを示す平面図であり、図２は、図１の防水コネクタのシール材充填前の状態を示すＡ―Ａ断面図、図３は、図１の防水コネクタを図２のＢ―Ｂ線でカットした状態を示す斜視図、図４は、図２に示す防水コネクタに充填ノズルを挿通されたシール材充填時の状態を示すＡ−Ａ断面図、図５は、図４に示す防水コネクタのシール材充填後の状態を示すＡ−Ａ断面図である。
【００１８】
図１〜図５を参照すると、防水コネクタ１０は、アウタハウジング２０内におけるインナハウジング３０及び防水栓４０間に、シール材５０（図５参照）を充填されてなる。
【００１９】
アウタハウジング２０は、一端部（図２中、上部）にコネクタ開口部２１を設けられるとともに、他端部（図２中、下部）に防水栓収納部２２を設けられる。
【００２０】
インナハウジング３０は、アウタハウジング２０のコネクタ開口部２１に設けられており、サイズの異なる複数種の端子１，２を、サイズ毎にエリア分けしてそれぞれ装着される。すなわち、信号系の小型の端子（以下、信号系小型端子という）１が、インナハウジング３０における中心位置から図２中の左側エリアに装着されるとともに、パワー系の大型の端子（以下、パワー系大型端子という）２が、インナハウジング３０における中心位置より図２中の右側エリアに装着される。
【００２１】
防水栓４０は、アウタハウジング２０の防水栓収納部２２に嵌合され、インナハウジング３０に装着された各端子１，２からアウタハウジング２０内を防水栓収納部２２側（図２中、下方）に向けて延びる電線３を、アウタハウジング２０の外方に挿通させる。
【００２２】
シール材５０は、アウタハウジング２０内におけるインナハウジング３０及び防水栓４０間の電線３の通る空間内に、充填ノズル４（図４）により充填される。
【００２３】
アウタハウジング２０は、コネクタ開口部２１の中心位置α１と防水栓収納部２２の中心位置α２とが所定量オフセットするように形成されており、当該オフセットにより、コネクタ開口部２１に設けられるインナハウジング３０の中心位置と、防水栓収納部２２に嵌合される防水栓４０の中心位置とが、前記オフセット量と同量、同方向にオフセットされる。これにより、シール材５０を充填されるアウタハウジング２０内の空間（以下、シール材充填空間２３という）における電線３の密度が、略均等とされる。
【００２４】
また、アウタハウジング２０内には、シール材充填空間２３に面する所定位置に、充填ガイド面２４が、テーパ状に形成されている。充填ガイド面２４は、シール材充填空間２３にシール材５０が充填される際、インナハウジング３０の連通孔３１（後述）からシール材充填空間２３内に挿通された充填ノズル４からのシール材５０を受ける。
【００２５】
更に、アウタハウジング２０内には、ガイド溝２５が、シール材充填空間２３の全周に渡って設けられる。ガイド溝２５は、シール材充填空間２３にシール材５０が充填される際、充填ノズル４から充填ガイド面２４を介してシール材５０を流し込まれる。
【００２６】
ガイド溝２５には、切り欠き部２６が、周方向に沿って所定の間隔をあけて複数設けられる。各切り欠き部２６はそれぞれ、充填ノズル４から充填ガイド面２４を介してガイド溝２５に流し込まれたシール材５０を、ガイド溝２５からシール材充填空間２３内における防水栓４０側（図２中、下側）に流出させる。
【００２７】
インナハウジング３０におけるパワー系大型端子２を装着されるエリアには、アウタハウジング２０のコネクタ開口部２１とシール材充填空間２３とを連通させる連通孔３１が設けられる。連通孔３１は、シール材充填空間２３にシール材５０が充填される際、シール材５０を充填させる充填ノズル４を、アウタハウジング２０のコネクタ開口部２１側からシール材充填空間２３側（図２中、上から下）に挿通させる。
【００２８】
本実施形態の作用について説明する。
上述したような防水コネクタ１０では、シール材充填空間２３にシール材５０が充填される際、図４に示すように、充填ノズル４が、インナハウジング３０の連通孔３１を介して、アウタハウジング２０のコネクタ開口部２１側からシール材充填空間２３側（図４中、上から下）に挿通される。この状態で、シール材５０が、充填ノズル４から充填ガイド面２４、ガイド溝２５及びガイド溝２５の各切り欠き部２６を介して、シール材充填空間２３内に円滑かつ確実に充填される。
【００２９】
すなわち、シール材５０は、充填ノズル４から充填ガイド面２４を伝ってガイド溝２５に流れ込み、ガイド溝２５に沿って全周に行き渡った後、ガイド溝２５の各切り欠き部２６からシール材充填空間２３内における防水栓４０側（図２中、下側）に落とし込まれる。そして、シール材５０は、シール材充填空間２３内における防水栓４０上から図２中の上方に向かって、均一に、かつ徐々に充填されていく。
【００３０】
この際、アウタハウジング２０におけるコネクタ開口部２１の中心位置α１と防水栓収納部２２の中心位置α２とのオフセットにより、シール材充填空間２３における電線３の密度が略均等であるので、シール材５０がシール材充填空間２３内の電線３間に均一に充填される。これにより、シール材充填空間２３へのシール材５０の高い充填性が確保される。
【００３１】
以上のように上記実施形態によれば、シール材５０が充填されるアウタハウジング２０内のシール材充填空間２３における電線密度の偏りを防止することができ、シール材５０をシール材充填空間２３内の電線３間に均一に充填させることができる。したがって、シール材充填空間２３へのシール材５０の充填性及び充填作業性を向上させることができ、未充填箇所及び気泡残りの発生等を抑制させることができる。また、防水栓４０への電線挿通作業性も向上させることができる。
【００３２】
また、インナハウジング３０の連通孔３１が、パワー系大型端子２を装着されるエリア、すなわち信号系小型端子１を装着されるエリアに比して空間的に余裕のあるエリアに設けられるので、シール材充填空間２３へのシール材５０の充填作業性の更なる向上を図ることができるとともに、シール材５０をシール材充填空間２３内の電線３間に、より均一に充填させることができる。
【００３３】
更に、アウタハウジング２０内のシール材充填空間２３に、充填ガイド面２４、ガイド溝２５及び切り欠き部２６を備えるので、充填ノズル４からのシール材５０を、充填ガイド面２４により確実にガイド溝２５に流し込むことができるとともに、ガイド溝２５から各切り欠き部２６を介してシール材充填空間２３内における防水栓４０側に、円滑に流出させることができる。したがって、充填ノズル４からシール材充填空間２３へのシール材５０の円滑かつ確実な充填性と、充填の均一性とを確保することができ、シール材５０をシール材充填空間２３内の電線３間に、より均一に充填させることができるとともに、シール材充填空間２３へのシール材５０の充填作業性の更なる向上を図ることができる。
【００３４】
本発明により得られる防水コネクタは、使用回路数の増加に伴う多極化と、異種サイズ端子（パワー系、信号系）使用に対応する防水コネクタとして、防水性が要求される部分等で好適に用いられる。
【図面の簡単な説明】
【００３５】
【図１】本発明の第１実施形態である防水コネクタを示す平面図である。
【図２】図１の防水コネクタのシール材充填前の状態を示すＡ―Ａ断面図である。
【図３】図１の防水コネクタを図２のＢ―Ｂ線でカットした状態を示す斜視図である。
【図４】図２に示す防水コネクタに充填ノズルを挿通されたシール材充填時の状態を示すＡ−Ａ断面図である。
【図５】図４に示す防水コネクタのシール材充填後の状態を示すＡ−Ａ断面図である。
【図６】特許文献１で開示されている防水コネクタを示す平面図である。
【図７】図６の防水コネクタのＣ―Ｃ断面図である。
【符号の説明】
【００３６】
１  端子（信号系小型端子）
２  端子（パワー系大型端子）
３  電線
４  充填ノズル
１０  防水コネクタ
２０  アウタハウジング
２１  コネクタ開口部
２２  防水栓収納部
２３  シール材を充填されるアウタハウジング内の空間（シール材充填空間）
２４  充填ガイド面
２５  ガイド溝
２６  切り欠き部
３０  インナハウジング
３１  連通孔
４０  防水栓
５０  シール材
α１  アウタハウジングのコネクタ開口部の中心位置
α２  アウタハウジングの防水栓収納部の中心位置
【図１】
2006228683.tif 000003
【図２】
2006228683.tif 000004
【図３】
2006228683.tif 000005
【図４】
2006228683.tif 000006
【図５】
2006228683.tif 000007
【図６】
2006228683.tif 000008
【図７】
2006228683.tif 000009